(57)【要約】【課題】肌にかかる負担を軽減しつつ、より高いマッサージ効果を得ることのできる美容装置を提供する。【解決手段】美容装置１は、中空部Ｓ１を有する扁平状の本体部１０を備えている。また、美容装置１は、本体部１０の厚さ方向Ｚから視た状態で、本体部１０の端部１０ｅに設けられ、外周縁２０ａが少なくとも一つの凸曲部２２，２３，２４を有するように形成された施術部２０を備えている。そして、施術部２０の内部に、本体部１０に対する相対的な振動を施術部２０に付与する振動部４０が設けられるようにした。【選択図】図５
2015223419.tif 000002
【特許請求の範囲】
【請求項１】
中空部を有する扁平状の本体部と、
前記本体部の厚さ方向から視た状態で、前記本体部の端部に設けられ、外周縁が少なくとも一つの凸曲部を有するように形成された施術部と、
を備え、
前記施術部の内部に、前記本体部に対する相対的な振動を施術部に付与する振動部が設けられていることを特徴とする美容装置。
【請求項２】
前記振動部が前記施術部の先端側に配置されていることを特徴とする請求項１に記載の美容装置。
【請求項３】
前記施術部と前記本体部とが別体に構成されており、
前記施術部は、当該施術部を本体部に対して揺動可能に支持する支持部を介して前記本体部に支持されていることを特徴とする請求項１または請求項２に記載の美容装置。
【請求項４】
前記施術部と前記本体部との境界には外部からの液体の浸入を抑制する防水部が設けられており、
前記防水部は、前記施術部および前記本体部に対して揺動可能な弾性体で構成されていることを特徴とする請求項３に記載の美容装置。
【請求項５】
前記本体部の厚さ方向から視た状態で、前記凸曲部には、頂部から底部にかけて連続する稜線部が形成されており、
前記稜線部は、前記本体部の厚さ方向に沿った断面形状がＲ形状に形成されており、
前記稜線部は、前記凸曲部の底部のほうが頂部よりも曲率半径が小さいことを特徴とする請求項１〜４のうちいずれか１項に記載の美容装置。
【請求項６】
前記施術部は、複数の凸曲部を有しており、
前記本体部の厚さ方向から視た状態で、互いに隣り合う凸曲部のそれぞれに接するように仮想共通接線を引いた場合に、前記施術部の外周縁には、前記仮想共通接線に接する一方の接点から他方の接点にかけて連続する稜線部が形成されており、
前記稜線部は、前記本体部の厚さ方向に沿った断面形状がＲ形状に形成されており、
前記稜線部は、一端から他端にかけて曲率半径が徐々に小さくなるように形成されていることを特徴とする請求項１〜４のうちいずれか１項に記載の美容装置。
【発明の詳細な説明】
【技術分野】
【０００１】
本発明は、使用者の肌に当接させて、肌に物理刺激を付与する美容装置に関するものである。
【背景技術】
【０００２】
従来、本体ハウジングと施術部とを備え、使用者が本体ハウジングを把持した状態で施術部を肌に当接させて、当該施術部を肌上で動かすことにより、肌に物理刺激を付与することができるようにした美容装置が知られている（例えば、特許文献１参照）。
【先行技術文献】
【特許文献】
【０００３】
【特許文献１】特表２００７−５３７７７４号公報
【発明の概要】
【発明が解決しようとする課題】
【０００４】
しかしながら、前記従来の美容装置を用いて肌に物理刺激を付与するためには、使用者によって美容装置を直接動かすという動作が必要となる。すなわち、前記従来の美容装置は、使用者が美容装置を直接動かすという動作のみによって肌に物理刺激を与えるようにしたものである。
【０００５】
そのため、より高いマッサージ効果を得るためには、施術部の肌への強い押圧や、施術部の肌表面上を滑らす速さを速くする等の動作が必要となる。
【０００６】
しかしながら、施術部の肌への押圧を強くしたり、施術部の肌表面上での滑り速さを速くしたりすると、肌に負担をかけることになってしまう。
【０００７】
本発明は、前記従来の課題を解決するもので、肌にかかる負担を軽減しつつ、より高いマッサージ効果を得ることのできる美容装置を提供することを目的とする。
【課題を解決するための手段】
【０００８】
前記従来の課題を解決するために、本発明の美容装置は、中空部を有する扁平状の本体部と、前記本体部の厚さ方向から視た状態で、前記本体部の端部に設けられ、外周縁が少なくとも一つの凸曲部を有するように形成された施術部と、を備えるものである。
【０００９】
そして、前記施術部の内部に、前記本体部に対する相対的な振動を施術部に付与する振動部が設けられるようにしたものである。
【００１０】
これによって、手で動かす動作による物理刺激だけでなく、手で動かす動作よりも細かな振動を肌に与えることができるようになる。すなわち、肌をより細かく震えさせることができるようになる。
【発明の効果】
【００１１】
本発明の美容装置を用いれば、肌にかかる負担を軽減しつつ、より高いマッサージ効果を得ることができる。
【図面の簡単な説明】
【００１２】
【図１】本発明の実施の形態１における美容装置を示す斜視図である。
【図２】本発明の実施の形態１における美容装置を図１とは別の方向から視た斜視図である。
【図３】本発明の実施の形態１における美容装置を図１および図２とは別の方向から視た斜視図である。
【図４】本発明の実施の形態１における美容装置を図１〜図３とは別の方向から視た斜視図である。
【図５】本発明の実施の形態１における美容装置の側面図である。
【図６】図５のＡ−Ａ断面図である。
【図７】図５のＢ−Ｂ断面図である。
【図８】本発明の実施の形態１における美容装置の平面図である。
【図９】図８のＣ−Ｃ断面図である。
【図１０】図８のＤ−Ｄ断面図である。
【図１１】図８のＥ−Ｅ断面図である。
【図１２】図８のＦ−Ｆ断面図である。
【図１３】図８のＧ−Ｇ断面図である。
【図１４】図８のＨ−Ｈ断面図である。
【図１５】図８のＩ−Ｉ断面図である。
【図１６】図８のＪ−Ｊ断面図である。
【図１７】図８のＫ−Ｋ断面図である。
【図１８】図８のＬ−Ｌ断面図である。
【図１９】本発明の実施の形態１における施術部の平面図である。
【図２０】本発明の実施の形態１における施術部の側面図である。
【図２１】本発明の実施の形態１における美容装置の回路構成を模式的に示す図である。
【図２２】本発明の実施の形態１における美容装置の振動モードのシーケンス図であって、（ａ）は振動モードＡのシーケンス図、（ｂ）は振動モードＢのシーケンス図、（ｃ）は振動モードＣのシーケンス図である。
【発明を実施するための形態】
【００１３】
本発明の実施の形態は、中空部を有する扁平状の本体部と、前記本体部の厚さ方向から視た状態で、前記本体部の端部に設けられ、外周縁が少なくとも一つの凸曲部を有するように形成された施術部と、を備える美容装置である。
【００１４】
そして、前記施術部の内部に、前記本体部に対する相対的な振動を施術部に付与する振動部が設けられるようにしたものである。
【００１５】
これによって、手で動かす動作による物理刺激だけでなく、手で動かす動作よりも細かな振動を肌に与えることができるようになる。したがって、肌に与えられる物理刺激がより微細となって、より高いマッサージ効果を得ることができるようになる。
【００１６】
また、前記振動部が前記施術部の先端側に配置されているものである。
【００１７】
これによって、振動部がより大きなモーメントを得ることとなり、より効率的に施術部を振動させることができるようになる。その結果、振動部を小型化することが可能となる。
【００１８】
また、前記施術部と前記本体部とが別体に構成されており、前記施術部は、当該施術部を本体部に対して揺動可能に支持する支持部を介して前記本体部に支持されているものである。
【００１９】
これによって、施術部の振動が本体部に伝わりにくくなるので、本体部を持つ手に振動が伝わりにくくなり、より持ち易くなり、また、振動による不快感をも改善することができる。さらに、振動する部分の重量を軽くすることが可能となるため、振動部をより小型軽量化させることができるようになる。
【００２０】
また、前記施術部と前記本体部との境界には外部からの液体の浸入を抑制する防水部が設けられており、前記防水部は、前記施術部および前記本体部に対して揺動可能な弾性体で構成されているものである。
【００２１】
これによって、液体が装置内部に浸入してしまうのを抑制することができるようになり、美容装置を美容液やミスト等の液体と併用することが可能となる。このように、美容液を液体と併用することで肌との摩擦を減らすことができるようになり、肌にかかる負担をより軽減することができる。また、美容装置を美容液とともに用いた場合には、美容液の肌への浸透をより高めることができるようになるという利点もある。
【００２２】
さらに、前記本体部の厚さ方向から視た状態で、前記凸曲部には、頂部から底部にかけて連続する稜線部が形成されているものである。そして、前記稜線部は、前記本体部の厚さ方向に沿った断面形状がＲ形状に形成されており、前記稜線部は、前記凸曲部の底部のほうが頂部よりも曲率半径が小さいものである。
【００２３】
これによって、凸曲部を局所的に肌に当接させて使用する場合に、頂部が肌に食い込み過ぎてしまうのを抑制しつつ、曲率半径が小さい底部をより肌に食い込ませることができるようになる。すなわち、凸曲部の適度な肌への食い込みを実現することができる。その結果、肌にかかる負担を軽減しつつ局所的に肌を振動させることができ、マッサージ感をより高めることができるようになる。
【００２４】
また、前記施術部は、複数の凸曲部を有しているものである。そして、前記本体部の厚さ方向から視た状態で、互いに隣り合う凸曲部のそれぞれに接するように仮想共通接線を引いた場合に、前記施術部の外周縁には、前記仮想共通接線に接する一方の接点から他方の接点にかけて連続する稜線部が形成されているものである。
【００２５】
さらに、前記稜線部は、前記本体部の厚さ方向に沿った断面形状がＲ形状に形成されており、前記稜線部は、一端から他端にかけて曲率半径が徐々に小さくなるように形成されているものである。
【００２６】
これによって、２つの凸曲部の間に形成される稜線部がより肌に食い込み易くなるため、局所的に肌を振動させてマッサージ感を高めることができるようになる。
【００２７】
以下、本発明の実施の形態について、図面を参照しながら説明する。なお、この実施の形態によって本発明が限定されるものではない。
【００２８】
また、以下では、本体部１０の長辺部１０ａに略平行な方向を長手方向ＸまたはＸ方向として説明する。また、本体部１０の厚さ方向を厚さ方向ＺまたはＺ方向として説明する。そして、長手方向Ｘに直交するとともに厚さ方向Ｚに直交する方向を短手方向ＹまたはＹ方向として説明する。
【００２９】
（実施の形態１）
図１〜図５に示すように、本実施の形態１にかかる美容装置１は、中空部Ｓ１を有する扁平状の本体部１０を備えている。また、美容装置１は、本体部１０の厚さ方向Ｚ（Ｚ方向）から視た状態で、本体部１０の端部１０ｅに設けられ、外周縁２０ａが少なくとも一つの凸曲部を有するように形成された施術部２０を備えている。
【００３０】
なお、本実施の形態１では、３つの凸曲部２２，２３，２４を有するように外周縁２０ａが形成されているが、凸曲部の数はこれに限らず、１つ、または２つの凸曲部が形成されるようにしてもよいし、４つ以上の凸曲部が形成されるようにしてもよい。
【００３１】
本体部１０は、図８に示すように、Ｚ方向から視た状態で、美容装置１の外周縁となる長辺部１０ａと、施術部２０が設けられる側に延在する短辺部１０ｂとを備えている。
【００３２】
さらに、本体部１０は、長辺部１０ａの一端と短辺部１０ｂの一端を連結し、施術部２０が設けられる側に延在する第１の斜辺部１０ｃと、長辺部１０ａの他端と短辺部１０ｂの他端を連結し、美容装置１の外周縁となる第２の斜辺部１０ｄとを備えている。なお、本実施の形態１では、第１の斜辺部１０ｃの方が第２の斜辺部１０ｄよりも傾斜が緩く（長辺部１０ａとのなす角が小さく）なっている。
【００３３】
このように、本体部１０は、Ｚ方向から視た状態で、長辺部１０ａ、短辺部１０ｂ、第１の斜辺部１０ｃ、および第２の斜辺部１０ｄとで略台形状となるように形成されている。この本体部１０は、美容装置１を使用する際に、使用者が手で把持する把持部として機能するものである。
【００３４】
そして、使用者が本体部１０を把持した状態で、使用者自身の肌、または、使用者以外の被施術者の肌に施術部２０を当接させて動かすことで、使用者や被施術者の肌に物理刺激が与えられることとなる。
【００３５】
このように、本実施の形態１にかかる美容装置１は、使用者が本体部１０を把持した状態で施術部２０を肌に当接させて、当該施術部２０を肌上で動かすことにより、肌に物理刺激を付与することができるようにした装置である。
【００３６】
そして、本体部１０は、扁平状の本体ハウジング１１を備えており、この本体ハウジング１１が本体部１０の外郭をなしている。
【００３７】
ところで、本体ハウジング１１の外面１１ａにエッジが形成されてしまうと、使用者が本体部１０を把持した際に、使用者の手にエッジが当たってしまい、使用者の手に余計な刺激を与えてしまうおそれがある。
【００３８】
そこで、本実施の形態１では、外面１１ａが全体的に丸みを帯びるように本体ハウジング１１を形成している。こうすれば、外面１１ａにエッジが形成されてしまうのを極力抑制することができるようになり、使用者に余計な刺激を与えてしまうことを抑制することができる。
【００３９】
この本体ハウジング１１は、例えば、合成樹脂で形成された複数の分割体を継ぎ合わせることで、内部に上述した中空部Ｓ１が形成されるようにすることが可能である。そして、この中空部Ｓ１内には、制御回路基板８０や電池９０等、各種の電気製品が内蔵されることとなる。
【００４０】
さらに、本体ハウジング１１の一面１１ｃには、電池９０を出し入れするための挿入穴１１ｅが形成されており、この挿入穴１１ｅは、着脱可能な蓋部１２によって塞がれている。
【００４１】
蓋部１２は、図８に示すように、挿入穴１１ｅを塞ぐように本体ハウジング１１に装着した状態で、本体部１０の外面１０ｊを構成する外蓋１３と、中空部Ｓ１内に収容される内蓋１４と、を備えている。さらに、蓋部１２は、外蓋１３と内蓋１４とで挟持され、挿入穴１１ｅから中空部Ｓ１内に液体が浸入してしまうのを抑制するゴムパッキン１５を備えている。
【００４２】
そして、外蓋１３には、蓋部１２を取り外す際に指を引っかけるための引っかけ部１３ａが形成されており、本体ハウジング１１には、凹状の切り欠き１１ｆが形成されている。凹状の切り欠き１１ｆは、挿入穴１１ｅを塞ぐように蓋部１２を本体ハウジング１１に装着した状態で、引っかけ部１３ａと対応する部位に形成されている。
【００４３】
このように、本体ハウジング１１に凹状の切り欠き１１ｆを形成することで、引っかけ部１３ａの近傍に空間が形成されることとなるため、指を引っかけ部１３ａに引っかけ易くなって、蓋部１２の取り外しをより容易に行えるようになる。
【００４４】
また、図１６に示すように、外蓋１３の内側には、電池９０が後述する電池基台９１の電池収容部９１ａから外れてしまうのを抑制する電池押さえ板１３ｂが設けられている。この電池押さえ板１３ｂは、先端に、電池９０の円筒部分に対応する四半円状の切り欠き１３ｃが形成されており、より効果的に電池９０を電池収容部９１ａ側に押圧できるようになっている。
【００４５】
一方、施術部２０は、図６〜図８に示すように、中空部Ｓ２を有し、施術部２０の外郭をなす施術部本体ハウジング２１を備えている。そして、この施術部本体ハウジング２１が、Ｚ方向から視た状態で、本体部１０の短辺部１０ｂおよび第１の斜辺部１０ｃ側に設けられている。このように、本実施の形態１では、短辺部１０ｂおよび第１の斜辺部１０ｃが本体部１０の端部１０ｅに相当している。
【００４６】
この施術部本体ハウジング２１も、例えば、合成樹脂で形成された複数の分割体を継ぎ合わせることで、内部に中空部Ｓ２が形成されるようにすることが可能である。
【００４７】
そして、図８に示すように、この施術部本体ハウジング２１を本体部１０の端部１０ｅに設けた状態で、Ｚ方向から視た際に、施術部本体ハウジング２１における長辺部１０ａと第１の斜辺部１０ｃとの交点１０ｆ側に、凸曲部２２を形成している。
【００４８】
凸曲部２２は、Ｚ方向から視た状態で、第１の斜辺部１０ｃと交差する方向（ほぼ直行する方向）に突出しており、この凸曲部２２には、底部２２ａから頂部２２ｂを通って底部２２ｃまで滑らかに連続した第１の凸状稜線部２２ｄが形成されている。
【００４９】
また、施術部本体ハウジング２１を本体部１０の端部１０ｅに設けた状態で、Ｚ方向から視た際に、施術部本体ハウジング２１における短辺部１０ｂと第１の斜辺部１０ｃとの交点１０ｇ側に、凸曲部２３を形成している。
【００５０】
凸曲部２３は、Ｚ方向から視た状態で、第１の斜辺部１０ｃと交差する方向（ほぼ直行する方向）に突出しており、この凸曲部２３には、底部２３ａから頂部２３ｂを通って底部２３ｃまで滑らかに連続した第２の凸状稜線部２３ｄが形成されている。なお、本実施の形態１では、凸曲部２３は凸曲部２２よりも外側に大きく突出するように形成されている。
【００５１】
そして、凸曲部２２と凸曲部２３との間（底部２２ｃと底部２３ａとの間）には、凸曲部２２と凸曲部２３とを滑らかに連結する第１の凹曲部２５が形成されている。
【００５２】
この第１の凹曲部２５には、滑らかに連続した第１の凹状稜線部２５ａが形成されている。
【００５３】
また、施術部本体ハウジング２１を本体部１０の端部１０ｅに設けた状態で、Ｚ方向から視た際に、施術部本体ハウジング２１における短辺部１０ｂと第２の斜辺部１０ｄとの交点１０ｈ側に、凸曲部２４を形成している。なお、長辺部１０ａと第２の斜辺部１０ｄとの交点１０ｉは、施術部２０から離れた位置に形成されている。
【００５４】
凸曲部２４は、Ｚ方向から視た状態で、短辺部１０ｂと交差する方向（ほぼ直行する方向）に突出しており、この凸曲部２４には、底部２４ａから頂部２４ｂを通って底部２４ｃまで滑らかに連続した第３の凸状稜線部２４ｄが形成されている。なお、本実施の形態１では、凸曲部２４は凸曲部２２よりも突出量が小さくなっている。
【００５５】
したがって、本実施の形態１では、凸曲部２３の突出量（頂部２３ｂから本体部１０までの距離）が最も大きく、凸曲部２４の突出量（頂部２４ｂから本体部１０までの距離）が最も小さくなっている。そして、凸曲部２２の突出量（頂部２２ｂから本体部１０までの距離）が、凸曲部２３の突出量と凸曲部２４の突出量との中間となっている。
【００５６】
このように、３種類の凸曲部を設けることで、肌をマッサージする際に、より最適な凸曲部を肌に当接させることができる。
【００５７】
そして、凸曲部２３と凸曲部２４との間（底部２３ｃと底部２４ａとの間）には、凸曲部２３と凸曲部２４とを滑らかに連結する第２の凹曲部２６が形成されている。
【００５８】
この第２の凹曲部２６には、滑らかに連続した第２の凹状稜線部２６ａが形成されている。
【００５９】
本実施の形態１では、Ｚ方向から視た状態で、第２の凹曲部２６のほうが第１の凹曲部２５よりも緩やかに湾曲した形状をしている。すなわち、第２の凹状稜線部２６ａのほうが第１の凹状稜線部２５ａよりも曲率半径が大きくなっている。
【００６０】
このように、２種類の凹曲部を設けることで、肌をマッサージする際に、より最適な凸曲部を肌に当接させることができる。
【００６１】
特に、緩やかに湾曲した第２の凹曲部２６は、頬、額などのマッサージを行う際に当接させるのに適しており、大きく湾曲した第１の凹曲部２５は、頬側から喉側にかけて当接させた状態で顎部をマッサージするのに適している。
【００６２】
なお、凸曲部および凹曲部は、上記の箇所に当接させる用途に限定されるものではなく、凸曲部や凹曲部を人体の所望の部位に当接させてマッサージを行うことができる。すなわち、使用者や被施術者の好みに合わせて凸曲部や凹曲部を人体の所望の部位に当接させることが可能である。
【００６３】
なお、本実施の形態１では、Ｚ方向から視た状態で、外周縁２０ａが描く曲線の変曲点を底部２２ｃ、２３ａ、２３ｃ、２４ａとしている。
【００６４】
以上、説明したように、本実施の形態１では、施術部本体ハウジング２１は、図８に示すように、Ｚ方向から視た状態で、小文字のｙの字に似た形状となるように形成されている。
【００６５】
ここで、本実施の形態１では、図６および図７に示すように、施術部２０の内部に、本体部１０に対する相対的な振動を施術部２０に付与する振動部４０を設けている。
【００６６】
本実施の形態１では、モータ本体４１ａとモータ軸４１ｂとを有するモータ４１を用いることで振動部４０を形成している。具体的には、モータ４１のモータ軸４１ｂに偏心錘４２を設けることで振動部４０を形成している。
【００６７】
偏心錘４２は、モータ軸４１ｂに挿入固定される円筒状の固定部４２ａと固定部の外周部に一体に形成された半円柱状の偏心部４２ｂとで構成されている。この偏心錘４２をモータ軸４１ｂに取り付けた状態で、モータ軸４１ｂを回転させると、モータ４１に偏心錘４２による遠心力が働き、この遠心力によって施術部２０が振動することとなる。
【００６８】
さらに、本実施の形態１では、振動部４０は、もっとも突出した凸曲部２３の内部に形成された振動部収容空間Ｓ３内に設けられている。すなわち、振動部４０は、施術部２０の先端側に配置されている。具体的には、頂部２３ｂから本体部１０までの距離が最も大きい凸曲部２３の振動部収容空間Ｓ３内における頂部２３ｂ側に、振動発生源である偏心錘４２が位置するように、振動部４０を振動部収容空間Ｓ３内に設けている。
【００６９】
こうすることで、モータ４１の出力および回転数を同一とした場合に、偏心錘４２に生じるモーメントをより大きくすることができるため、より効果的に施術部２０に振動を与えることができるようになる。また、偏心錘４２およびモータ４１を小さくすることが可能となり、美容装置１の小型化やコストダウンも可能となる。
【００７０】
このように、上述したような振動部４０を施術部２０に設けることで、施術部２０を機械的に振動させることができるようになって、施術部２０を肌に当接させた状態で、使用者が美容装置１を直接動かさなくても、肌に物理刺激を与えることができるようになる。
【００７１】
また、施術部２０を振動させた状態で肌に当接させつつ、使用者が美容装置１を動かすようにすれば、手で動かす動作による物理刺激に加えて、手で動かす動作よりも細かな振動を肌に与えることができるようになる。
【００７２】
したがって、本実施の形態１にかかる美容装置１を用いれば、より高いマッサージ効果を得るために、施術部２０の肌への強い押圧や、施術部２０の肌表面上を滑らす速さを速くする必要がなくなる。その結果、肌にかかる負担を軽減しつつ、より高いマッサージ効果を得ることができるようになる。
【００７３】
また、上述したように、施術部２０と本体部１０とは別体に構成されている。したがって、施術部２０を本体部１０に対して相対的に振動させるためには、施術部２０が本体部１０に相対振動できるように支持されている必要がある。
【００７４】
そこで、本実施の形態１では、支持部５０を介して施術部２０を本体部１０に支持させるようにした。このとき、施術部２０が本体部１０に対して揺動可能に支持されるようにした。
【００７５】
この支持部５０としては、薄板状の金属板を用いることができる。本実施の形態１では、厚さ０．３ｍｍ、幅２．２ｍｍの細長いバネ用ステンレス鋼板を用いている。バネ用ステンレス鋼板は、厚さ方向に弾性変形可能に湾曲するバネ性を有している。
【００７６】
そして、バネ用ステンレス鋼板（支持部５０）を、当該バネ用ステンレス鋼板（支持部５０）の厚さ方向がＺ方向（本体部１０の厚さ方向：厚さ方向Ｚ）と略一致するように配置した状態で、本体部側端部５１を本体部１０に取り付けている。
【００７７】
具体的には、まず、本体部側端部５１を、当該本体部側端部５１に形成された挿通孔５１ａが、本体ハウジング１１の他面１１ｄ側に形成された筒状リブ１１ｈの挿通凹部１１ｒに連通するように配置する。そして、かかる状態で、挿通孔５１ａおよび挿通凹部１１ｒにねじ９４ｃを挿入する。こうして、図６，図７および図１３に示すように、本体部側端部５１が本体部１０に固定されるようにしている。
【００７８】
さらに、本体部側端部５１には一対の挟持片５１ｂが形成されており、この一対の挟持片５１ｂで本体ハウジング１１の他面１１ｄ側に形成されたリブ１１ｋを挟持している（図６，図７および図１３参照）。こうすることで、本体部側端部５１が本体部１０により確実に固定されることとなる。
【００７９】
一方、バネ用ステンレス鋼板（支持部５０）の施術部側端部５２を、バネ用ステンレス鋼板（支持部５０）の厚さ方向とＺ方向を略一致させた状態で、施術部２０に取り付けている。
【００８０】
具体的には、図６，図７に示すように、施術部側端部５２の圧入片５２ａを圧入凹部２１ｂに圧入することで、バネ用ステンレス鋼板（支持部５０）の施術部側端部５２を施術部２０に取り付けている。
【００８１】
こうすることで、モータ軸４１ｂを回転させてモータ４１に偏心錘４２による遠心力を発生させた際には、当該遠心力によりバネ用ステンレス鋼板（支持部５０）は、中央部５３がＺ方向に弾性変形（湾曲）することとなる。そして、この弾性変形に伴って、施術部２０が本体部１０に対してＺ方向に相対的に揺動（振動）することとなる。
【００８２】
なお、本実施の形態１では、２枚のバネ用ステンレス鋼板（２つの支持部５０）を用い、それぞれの施術部側端部５２を凸曲部２２側および凸曲部２４側で施術部２０に取り付けている。
【００８３】
凸曲部２２側で施術部２０を支持するバネ用ステンレス鋼板（支持部５０）は、Ｚ方向から視た状態で、クランク状に折曲された形状をしている。一方、凸曲部２４側で施術部２０を支持するバネ用ステンレス鋼板（支持部５０）は、Ｚ方向から視た状態で、ほぼ直線状に形成されている。
【００８４】
このように、バネ用ステンレス鋼板（支持部５０）の形状を適宜設定することで、本体部１０側の取付位置や施術部２０側の取付位置を自由に設定することが可能となり、スペースを有効利用することができるようになる。
【００８５】
また、２枚の細長いバネ用ステンレス鋼板を支持部５０として用いることで、揺動可能な部位を限定することができ、揺動可能な部位（支持部５０）の軽量化を図ることができる。また、より少ない力（遠心力）で施術部２０を揺動させるのに十分なモーメントを発生させることができるため、振動部４０の小型化を図ることもできる。
【００８６】
なお、支持部５０の厚さおよび幅は、施術部２０の重さや振動のパターンによってより最適な値となるようにするのが好適である。また、支持部５０は、湾曲自在、且つ十分な強度を備えていれば、樹脂等で形成されていてもよい。
【００８７】
また、揺動可能な施術部２０と使用者が把持する本体部１０とを、湾曲可能な２つの支持部５０で支持する構成とすることで、施術部２０の振動が本体部１０に伝わってしまうのを抑制することができるようになる。その結果、施術部２０の振動が本体部１０を介して使用者の手に伝わってしまうのを抑制することができ、美容装置１の使い勝手がよくなり、本体部１０が振動することにより生じる不快感を改善させることができる。
【００８８】
また、本実施の形態１では、施術部２０と本体部１０とを２箇所で支持するとともに、施術部２０を一端側（凸曲部２２側）と他端側（凸曲部２４側）の離れた位置で支持するようにしている。このような構造とすることで、それぞれの支持部５０が薄板状であったとしても、効率よく、強度を確保することができる。
【００８９】
さらに、本実施の形態１では、施術部２０と本体部１０との境界には外部からの液体の浸入を抑制する防水部３０が設けられている。
【００９０】
具体的には、弾性変形可能なゴムパッキン３１を、施術部２０と本体部１０との境界の全周に亘って配置されるように設けることで防水部３０を形成している。このように、本実施の形態１では、施術部２０と本体部１０との境界に、施術部２０および本体部１０に対して揺動可能な弾性体で構成された防水部３０が設けられている。
【００９１】
この防水部３０は、施術部側保持枠３２と施術部本体ハウジング２１との間にゴムパッキン３１の一端を挟持させつつ、本体部側保持枠３３と本体ハウジング１１との間にゴムパッキン３１の他端を挟持させることで形成されている。
【００９２】
施術部側保持枠３２は、ねじ９４ａを介して施術部本体ハウジング２１に取り付けられている（図６，図７参照）。
【００９３】
具体的には、以下のようにして取り付けられる。
【００９４】
まず、施術部側保持枠３２と施術部本体ハウジング２１との間にゴムパッキン３１の一端を挟持させつつ、施術部側保持枠３２に形成されたねじ止め部３２ｂを施術部本体ハウジング２１に形成された筒状リブ２１ａに突き合わせる。
【００９５】
このとき、ねじ止め部３２ｂに形成された挿通孔３２ｃと筒状リブ２１ａに形成された挿通凹部２１ｃとが連通するように、ねじ止め部３２ｂを筒状リブ２１ａに突き合わせる。
【００９６】
そして、かかる状態で、ねじ９４ａをねじ止め部３２ｂの挿通孔３２ｃおよび筒状リブ２１ａの挿通凹部２１ｃに挿入する。こうして、施術部側保持枠３２と施術部本体ハウジング２１との間にゴムパッキン３１の一端を挟持させた状態で、施術部側保持枠３２が施術部本体ハウジング２１に取り付けられる。
【００９７】
なお、施術部側保持枠３２には、モータ収容部３２ａが形成されており、このモータ収容部３２ａ内にモータ４１のモータ本体４１ａが収容されている。そして、モータ収容部３２ａ内にモータ本体４１ａを収容した状態で、モータ収容部３２ａが振動部収容空間Ｓ３内に収容される。
【００９８】
こうして、振動部４０が振動部収容空間Ｓ３内に収容されることとなる。このとき、モータ本体４１ａは、偏心錘４２がモータ収容部３２ａから頂部２３ｂ側に突出した状態でモータ収容部３２ａ内に収容されている。
【００９９】
一方、本体部側保持枠３３は、本体ハウジング１１に形成された圧入リブ１１ｇに圧入凹部３３ａを圧入することで、本体ハウジング１１に取り付けられている。
【０１００】
具体的には、本体部側保持枠３３と本体ハウジング１１との間にゴムパッキン３１の他端を挟持させつつ、本体部側保持枠３３に形成された圧入凹部３３ａを本体ハウジング１１に形成された圧入リブ１１ｇに圧入している。こうすることで、本体部側保持枠３３は、本体部側保持枠３３と本体ハウジング１１との間にゴムパッキン３１の他端を挟持させた状態で、本体ハウジング１１に取り付けられることとなる。
【０１０１】
なお、本体部側保持枠３３には、取付片３３ｂが形成されている。そして、本体部側保持枠３３は、この取付片３３ｂによって、本体ハウジング１１および後述する電池基台９１に固定されている。
【０１０２】
具体的には、図１８に示すように、取付片３３ｂに形成された挿通孔３３ｃに、電池基台９１の突部９１ｅを挿通させた状態で、この突部９１ｅを本体ハウジング１１の他面１１ｄ側に形成された筒状リブ１１ｎの挿通凹部１１ｓに挿通する。こうすることで、本体部側保持枠３３が本体ハウジング１１および電池基台９１に固定される。
【０１０３】
上述したように、本実施の形態１では、施術部側保持枠３２および本体部側保持枠３３を用い、施術部２０と本体部１０との境界の全周に亘ってゴムパッキン３１が配置されるようにしている。こうすることで、施術部２０の揺動運動を妨げることなく、施術部２０と本体部１０との境界から美容装置１の内部に液体が浸入してしまうのを抑制することができるようになる。
【０１０４】
したがって、施術部２０と本体部１０との境界から美容装置１の内部に液体が侵入してしまうのを抑制することができるようになって、内蔵された電気製品が液体によって故障してしまうのを抑制することができるようになる。その結果、電気製品が内蔵された美容装置１の液体との併用が可能となる。
【０１０５】
そして、振動部４０としてのモータ４１は、図２１に示すように、リード線９５を介して制御回路８１に電気的に接続されている。
【０１０６】
一方、電池９０は、電池基台９１に形成された電池収容部９１ａに収容されている。このとき、電池収容部９１ａに設けられた電池陽極金具９２に電池９０の＋極が、電池収容部９１ａに設けられた電池陰極金具９３に電池９０の−極が、それぞれ当接するように電池９０が電池収容部９１ａに収容される（図６，図７参照）。
【０１０７】
そして、電池陽極金具９２および電池陰極金具９３はそれぞれリード線９５を介して制御回路８１に電気的に接続されている。したがって、電池９０を電池収容部９１ａに収容した状態で、電池９０とモータ４１（振動部４０）とが制御回路８１を介して電気的に接続されることとなる。
【０１０８】
かかる構成とすることで、モータ４１の駆動が制御回路８１によって制御されるようになっている。
【０１０９】
なお、リード線９５は、図７および図１３に示すように、本体ハウジング１１の他面１１ｄ側に形成された狭持リブ１１ｊによって挟持されることで、位置ずれを抑制できるようになっている。
【０１１０】
この制御回路８１は、制御回路基板８０に形成されており、制御回路基板８０は、本体ハウジング１１の中空部Ｓ１内に収容されている。
【０１１１】
具体的には、制御回路基板８０は、本体ハウジング１１の他面１１ｄ側に形成された保持リブ１１ｐによって保持された状態で、電池基台９１の板部９１ｂと本体ハウジング１１とで挟持されることで、中空部Ｓ１内に収容されている。
【０１１２】
そして、この制御回路基板８０には、振動部４０の振動モードを切り替える振動モード切替スイッチ６０のスイッチ部６２が形成されている。
【０１１３】
スイッチ部６２は、制御回路基板８０に形成された導電性の回路パターン８２を介して制御回路８１に電気的に接続されている。そして、スイッチ部６２と対向する部位に操作ボタン（操作子）６１が設けられている。
【０１１４】
本実施の形態１では、操作ボタン（操作子）６１は、図５に示すように、本体部１０の長辺部１０ａに対応する本体ハウジング１１の側面１１ｂに設けられている。
【０１１５】
そして、この操作ボタン６１を押圧することでスイッチ部６２が作動し、振動部４０の振動モードを順次切り替えることができるようになっている。
【０１１６】
このように、本実施の形態１では、振動モード切替スイッチ６０は、操作ボタン（操作子）６１と、操作ボタン６１の押圧（操作）によって作動するスイッチ部６２とを備えている。
【０１１７】
また、操作ボタン６１は、弾性変形可能なカバー６１ａと、移動可能に設けられているボタン本体６１ｂとを備えており、カバー６１ａが本体ハウジング１１の側面１１ｂから露出している。
【０１１８】
そして、カバー６１ａの露出部分を押圧することで、カバー６１ａが弾性変形し、この弾性変形に伴ってボタン本体６１ｂがスイッチ部６２側に移動する。そして、ボタン本体６１ｂがスイッチ部６２を押圧することで、スイッチ部６２が作動するようになっている。
【０１１９】
なお、本実施の形態１では、操作ボタン６１を押圧することで、電源をオン・オフさせることもできるようになっている。すなわち、本実施の形態１では、電源がオン・オフされる現象も、振動部４０の振動モードが切り替えられた結果生じるものであると定義する。なお、電源をオン・オフするスイッチおよび操作子を振動モード切替スイッチ６０とは別に設けるようにしてもよい。
【０１２０】
また、本実施の形態１では、操作ボタン６１と本体ハウジング１１の側面１１ｂとの隙間から液体が浸入しないような構成としている。
【０１２１】
さらに、制御回路基板８０には、第１のＬＥＤ７２ａおよび第２のＬＥＤ７２ｂが実装されている。第１のＬＥＤ７２ａおよび第２のＬＥＤ７２ｂは、それぞれ、制御回路基板８０に形成された導電性の回路パターン８２を介して制御回路８１に電気的に接続されている。
【０１２２】
また、第１のＬＥＤ７２ａおよび第２のＬＥＤ７２ｂは、それぞれ異なる色の光を照射するものとしている。例えば、第１のＬＥＤ７２ａを赤色ＬＥＤとし、第２のＬＥＤ７２ｂを緑色ＬＥＤとすることができる。
【０１２３】
そして、第１のＬＥＤ７２ａおよび第２のＬＥＤ７２ｂと対向するように導光部７１が形成されている。
【０１２４】
導光部７１は、本体ハウジング１１に、側面１１ｂから露出するように形成されている。この導光部７１は、第１のＬＥＤ７２ａおよび第２のＬＥＤ７２ｂのうちの少なくともいずれか一方から照射された光を外部に透過させる機能を有するものである。
【０１２５】
そして、使用者が導光部７１から透過される光を視認することで、振動部４０がいずれのモードで動作しているのかを確認することができる。また、電池残量が少なくなったときには、点滅等の通常使用とは異なる点灯方法を行うことにより、使用者に報知することができる。
【０１２６】
このように、本実施の形態１では、ＬＥＤ（第１のＬＥＤ７２ａおよび第２のＬＥＤ７２ｂ：光源部）と導光部７１とで表示部７０が形成されている。
【０１２７】
なお、本実施の形態１では、Ｏリング７３を用いて、導光部７１と本体ハウジング１１の側面１１ｂとの隙間から液体が浸入しないようにしている。
【０１２８】
また、操作ボタン６１および導光部７１は、押さえ板１６によって支持されており、押さえ板１６は、本体ハウジング１１の他面１１ｄ側に形成された保持リブ１１ｍによって保持されている。
【０１２９】
かかる構成の美容装置１の各部材は、以下のようにして組み付けられる。
【０１３０】
まず、本体ハウジング１１に支持部５０を取り付ける。また、制御回路基板８０、操作ボタン６１および導光部７１、押さえ板１６を本体ハウジング１１に取り付ける。なお、これらの部材は、電池基台９１を本体ハウジング１１に取り付ける前に行われていればよく、組み付けの順番は特に限定されるものではない。
【０１３１】
一方、施術部本体ハウジング２１と施術部側保持枠３２との間にゴムパッキン３１が挟持されるように、施術部本体ハウジング２１と施術部側保持枠３２とをねじ９４ａを用いて取り付ける。その後、モータ本体４１ａを、施術部側保持枠３２のモータ収容部３２ａ内に、偏心錘４２がモータ収容部３２ａから頂部２３ｂ側に突出した状態で収容する。なお、モータ本体４１ａをモータ収容部３２ａ内に先に収容した状態で、施術部本体ハウジング２１と施術部側保持枠３２とを取り付けるようにしてもよい。
【０１３２】
そして、本体ハウジング１１と本体部側保持枠３３との間にゴムパッキン３１が挟持されるように、本体部側保持枠３３の圧入凹部３３ａを本体ハウジング１１の圧入リブ１１ｇに圧入して、本体ハウジング１１と本体部側保持枠３３とを取り付ける。
【０１３３】
このとき、施術部側端部５２の圧入片５２ａが圧入凹部２１ｂに圧入され、揺動可能な施術部２０と使用者が把持する本体ハウジング１１とが、湾曲可能な２つの支持部５０で支持されることとなる。また、弾性変形可能なゴムパッキン３１が、施術部２０と本体部１０との境界の全周に亘って配置されるように設けられ、防水部３０が形成される。
【０１３４】
その後、電池基台９１を挿入穴１１ｅから中空部Ｓ１内に挿入して、電池基台９１を本体ハウジング１１に取り付ける。具体的には、電池基台９１の板部９１ｂにねじ止め部９１ｃが形成されており、このねじ止め部９１ｃの挿通孔９１ｆを筒状リブ１１ｉの挿通凹部に連通させた状態で、ねじ９４ｂを挿通孔９１ｆおよび挿通凹部に挿通させる（図７および図１４参照）。
【０１３５】
こうして、電池基台９１が本体ハウジング１１に取り付けられる。その後、電池基台９１の電池収容部９１ａに電池９０を収容する。なお、電池陽極金具９２および電池陰極金具９３の電池収容部９１ａへの取り付けや、電池陽極金具９２および電池陰極金具９３のリード線９５との接続、リード線９５と制御回路基板８０との接続時期は、特に限定されるものではない。
【０１３６】
そして、挿入穴１１ｅを蓋部１２で塞ぐことで、施術部２０に機械的振動を付与することが可能な美容装置１が組み付けられる。
【０１３７】
なお、蓋部１２の内蓋１４にはフック部１４ａが設けられており、このフック部１４ａを電池基台に形成された係止孔９１ｄに係止させることで、蓋部１２が電池基台９１を介して本体ハウジング１１に装着されることになる。
【０１３８】
そして、蓋部１２を取り外す際には、引っかけ部１３ａに指を引っかけて、蓋部１２を引っ張るようにすればよい。こうすることで、フック部１４ａと係止孔９１ｄとの係止が解除されて、蓋部１２を取り外すことができる。
【０１３９】
ここで、本実施の形態１では、振動部４０を作動させる際に、３種類の振動モードのうちから所望のモードを適宜選択できるようにしている。
【０１４０】
具体的には、制御回路８１に、振動モードＡ、振動モードＢ、振動モードＣの３種類の振動モードを記録させている。
【０１４１】
そして、電源オフの状態で、操作ボタン６１を一回押圧してスイッチ部６２を作動させると、電源がオンになるとともに、振動部４０が振動モードＡで振動することになる。また、振動モードＡの状態で、操作ボタン６１を一回押圧してスイッチ部６２を作動させると、振動部４０が振動モードＢで振動することになる。すなわち、振動部４０が振動モードＡから振動モードＢに切り替えられることとなる。
【０１４２】
さらに、振動モードＢの状態で、操作ボタン６１を一回押圧してスイッチ部６２を作動させると、振動部４０が振動モードＣで振動することになる。すなわち、振動部４０が振動モードＢから振動モードＣに切り替えられることとなる。そして、振動モードＣの状態で、操作ボタン６１を一回押圧してスイッチ部６２を作動させると、電源がオフになる。
【０１４３】
このように、本実施の形態１では、操作ボタン６１を押圧してスイッチ部６２を作動させる度に、振動部４０の振動モードは、電源オフ、振動モードＡ、振動モードＢ、振動モードＣ、電源オフのループで切り換わるようになっている。
【０１４４】
そして、振動モードの切り替えに合わせて、第１のＬＥＤ７２ａおよび第２のＬＥＤ７２ｂの消灯、点灯も切り替えられるようになっている。
【０１４５】
具体的には、電源オフの状態では、第１のＬＥＤ７２ａおよび第２のＬＥＤ７２ｂが消灯している。すなわち、電源オフの状態では、導光部７１から光が照射されていない状態となっている。
【０１４６】
そして、振動モードＡの状態では、第１のＬＥＤ７２ａが点灯し、かつ、第２のＬＥＤ７２ｂが消灯している。すなわち、振動モードＡの状態では、導光部７１から赤色光が照射されている状態となっている。
【０１４７】
また、振動モードＢの状態では、第１のＬＥＤ７２ａが消灯し、かつ、第２のＬＥＤ７２ｂが点灯している。すなわち、振動モードＢの状態では、導光部７１から緑色光が照射されている状態となっている。
【０１４８】
そして、振動モードＣの状態では、第１のＬＥＤ７２ａが点灯し、かつ、第２のＬＥＤ７２ｂも点灯している。すなわち、振動モードＣの状態では、導光部７１から黄色光が照射されている状態となっている。
【０１４９】
このように、本実施の形態１では、表示部７０からの光の照射の有無や照射される光の色によって、使用者は現状の振動モードを知ることができるようになっている。
【０１５０】
上述した３種類の振動モードのシーケンス図をそれぞれ、図２２（ａ）、図２２（ｂ）、図２２（ｃ）に示している。
【０１５１】
各図の縦軸は、振動部４０の動作（動作がオンであるかオフであるか）を示している。そして、横軸は時間（単位はｍｓ）を示している。
【０１５２】
振動モードＡは、図２２（ａ）に示すように、７５ｍｓ周期で動作のオン・オフが繰り返されている（オン時間が２０ｍｓでオフ時間が５５ｍｓ）。
【０１５３】
このようなモードで振動部４０を振動させると、単調な振動が繰り返されることとなる。
【０１５４】
一方、振動モードＢでは、図２２（ｂ）に示すように、動作がオフとなっている時間とオンとなっている時間をあわせると５０ｍｓとなっている。すなわち、５０ｍｓ周期で一回の動作のオン・オフが行われている。
【０１５５】
そして、０ｍｓから５００ｍｓまでは、動作をオンにしている時間が１つ前の動作オン時間と同じか増加（この場合、動作をオフにしている時間が減少する）している。一方、５００ｍｓから１０００ｍｓまでは、動作をオンにしている時間が１つ前の動作オン時間と同じか減少（この場合、動作をオフにしている時間が増加する）している。
【０１５６】
このように、振動モードＢでは、１０００ｍｓ周期で、動作をオンにしている時間を増加させたり・減少させたりしている。
【０１５７】
このようなモードで振動部４０を振動させると、振動の強弱が穏やかに変化するリズム振動となる。
【０１５８】
そして、振動モードＣは、図２２（ｃ）に示すように、動作がオフとなっている時間とオンとなっている時間を合わせた時間が２４２ｍｓ（オン時間が１００ｍｓでオフ時間が１４２ｍｓ）で、一回のオン・オフの動作が長い場合がある。
【０１５９】
また、動作がオフとなっている時間とオンとなっている時間を合わせた時間が９１ｍｓ（オン時間が２５ｍｓでオフ時間が６６ｍｓ）で、一回のオン・オフの動作が短い場合がある。そして、長い場合と短い場合とが交互に現れるようにしている。
【０１６０】
このようなモードで振動部４０を振動させると、振動の強弱が激しく変化するリズム振動となる。
【０１６１】
人の振動に対する嗜好性は様々であるため、１種類の振動モードで多くの人の嗜好性に対応させるようにすることは困難である。しかしながら、本実施の形態１のように、３種類の著しく異なった振動モードを持ち合わせるようにすることで、より多くの人の嗜好性に対応することができるようになる。
【０１６２】
また、本実施の形態１では、図１９に示すように、本体部１０の厚さ方向Ｚから視た状態で、凸曲部２３には、頂部２３ｂから底部２３ｃにかけて連続する稜線部Ｒ１が形成されている。この稜線部Ｒ１は、第２の凸状稜線部２３ｄの一部である。
【０１６３】
そして、稜線部Ｒ１は、本体部１０の厚さ方向Ｚに沿った断面形状がＲ形状に形成されている。さらに、稜線部Ｒ１は、凸曲部２３の底部２３ｃのほうが頂部２３ｂよりも曲率半径が小さくなるように形成されている。
【０１６４】
具体的には、稜線部Ｒ１は、凸曲部２３の頂部２３ｂにおけるＲ形状の曲率半径が４ｍｍとなっており、凸曲部２３の底部２３ｃにおけるＲ形状の曲率半径が２ｍｍとなっている。さらに、本実施の形態１では、稜線部Ｒ１は、Ｒ形状の曲率半径が、頂部２３ｂから底部２３ｃにかけて徐々に小さくなるように形成されている。
【０１６５】
なお、第２の凸状稜線部２３ｄの底部２３ａ側、第１の凸状稜線部２２ｄ、第３の凸状稜線部２４ｄ、第１の凹状稜線部２５ａ、および第２の凹状稜線部２６ａも、本体部１０の厚さ方向Ｚに沿った断面形状がＲ形状に形成されている。
【０１６６】
また、本実施の形態１では、第２の凹状稜線部２６ａは、底部２３ｃから底部２４ａにかけて、Ｒ形状の曲率半径が２ｍｍで一定となっている。そして、第１の凹状稜線部２５ａは、底部２３ａ側よりも底部２２ｃ側のほうがＲ形状の曲率半径が大きくなっている。
【０１６７】
なお、第１の凹状稜線部２５ａの底部２３ａ側は、Ｒ形状の曲率半径が４ｍｍとなっている。すなわち、第１の凹状稜線部２５ａのほうが、第２の凹状稜線部２６ａよりも平坦に近い稜線部となっている。
【０１６８】
このように、第１の凹状稜線部２５ａをより平坦に近い稜線部とすることで、第１の凹曲部２５を頬側から喉側にかけて当接させた状態で顎部をマッサージする際に、稜線部が食い込みすぎてしまうのを抑制することができる。特に、顎部には肉が付きにくい部位で、下顎骨が肌表面近傍に存在しているため、顎部をマッサージする際には、本実施の形態１のように平坦に近い稜線部としたほうが好ましい。
【０１６９】
一方、額や頬のマッサージの際に用いられる第２の凹状稜線部２６ａは、本実施の形態１のように、先端を比較的尖らせた稜線部とするのが好ましい。こうすれば、頬をマッサージする際に、稜線部を頬により食い込ませることができるため、より確実に頬のたるみを解消させることが可能となる。
【０１７０】
また、本実施の形態１のように、第２の凹状稜線部２６ａを比較的尖らせた形状とすることで、より効果的に口角を引き上げることが可能となる。
【０１７１】
なお、図１９に示すように、Ｚ方向から視た状態で、凸曲部２３，２４のそれぞれに接するように仮想共通接線Ｌを引いた場合、仮想共通接線Ｌに接する一方の接点Ｃ１から他方の接点Ｃ２にかけて連続する稜線部Ｒ３が形成される。
【０１７２】
この稜線部Ｒ３もＺ方向に沿った断面形状がＲ形状に形成されている。そして、稜線部Ｒ３が、一端（接点Ｃ１）から他端（接点Ｃ２）にかけて曲率半径が徐々に小さくなるように形成されるようにしてもよい。こうすることでも、頬のマッサージ効果や口角を引き上げる効果をより高めることができる。
【０１７３】
なお、一端（接点Ｃ２）から他端（接点Ｃ１）にかけて曲率半径が徐々に小さくなるように稜線部Ｒ３を形成してもよい。
【０１７４】
いずれの場合であっても、使用する際には、稜線部Ｒ３の曲率半径が小さい側を口元に当接させるようにするのが好ましい。こうすれば、稜線部Ｒ３を口元により食い込ませることができ、口角を引き上げる効果をより高めることができる。
【０１７５】
また、稜線部Ｒ３はＺ方向から視た際に、凹曲線である必要はなく、仮想共通接線Ｌと一致していてもよい。すなわち、Ｚ方向から視た際に直線となるように、稜線部Ｒ３を形成してもよい。
【０１７６】
以上、説明したように、本実施の形態１では、美容装置１は、中空部Ｓ１を有する扁平状の本体部１０を備えている。また、美容装置１は、本体部１０の厚さ方向Ｚから視た状態で、本体部１０の端部１０ｅに設けられ、外周縁２０ａが少なくとも一つの凸曲部２２，２３，２４を有するように形成された施術部２０を備えている。
【０１７７】
そして、施術部２０の内部に、本体部１０に対する相対的な振動を施術部２０に付与する振動部４０が設けられるようにした。
【０１７８】
これによって、手で動かす動作による物理刺激だけでなく、手で動かす動作よりも細かな振動を肌に与えることができるようになる。したがって、肌に与えられる物理刺激がより微細となって、より高いマッサージ効果を得ることができるようになる。
【０１７９】
また、振動部４０が施術部２０の先端側（施術部本体ハウジング２１の頂部２３ｂ側）に配置されている。
【０１８０】
これによって、振動部４０がより大きなモーメントを得ることとなり、より効率的に施術部２０を振動させることができるようになる。その結果、振動部４０を小型化することが可能となる。
【０１８１】
また、施術部２０と本体部１０とが別体に構成されており、施術部２０は、当該施術部２０を本体部１０に対して揺動可能に支持する支持部５０を介して本体部１０に支持されている。
【０１８２】
これによって、施術部２０の振動が本体部１０に伝わりにくくなるので、本体部１０を持つ手に振動が伝わりにくくなり、より持ち易くなる。また、振動による不快感をも改善することができる。さらに、振動する部分の重量を軽くすることが可能となるため、振動部４０をより小型軽量化させることができるようになる。
【０１８３】
また、施術部２０と本体部１０との境界には外部からの液体の浸入を抑制する防水部３０が設けられており、防水部３０は、施術部２０および本体部１０に対して揺動可能な弾性体で構成されている。
【０１８４】
これによって、液体が装置内部に浸入してしまうのを抑制することができるようになり、美容装置１を美容液やミスト等の液体と併用することが可能となる。このように、美容液を液体と併用することで肌との摩擦を減らすことができるようになり、肌にかかる負担をより軽減することができる。また、美容装置１を美容液とともに用いた場合には、美容液の肌への浸透をより高めることができるようになるという利点もある。
【０１８５】
さらに、本体部１０の厚さ方向Ｚから視た状態で、凸曲部２３には、頂部２３ｂから底部２３ｃにかけて連続する稜線部Ｒ１が形成されているものである。そして、稜線部Ｒ１は、本体部１０の厚さ方向Ｚに沿った断面形状がＲ形状に形成されており、稜線部Ｒ１は、凸曲部２３の底部２３ｃのほうが頂部２３ｂよりも曲率半径が小さい。
【０１８６】
これによって、凸曲部２３を局所的に肌に当接させて使用する場合に、頂部２３ｂが肌に食い込み過ぎてしまうのを抑制しつつ、曲率半径が小さい底部２３ｃをより肌に食い込ませることができるようになる。すなわち、凸曲部２３の適度な肌への食い込みを実現することができる。その結果、肌にかかる負担を軽減しつつ局所的に肌を振動させることができ、マッサージ感をより高めることができるようになる。
【０１８７】
また、施術部２０は、複数の凸曲部２３，２４を有しているものである。そして、本体部１０の厚さ方向Ｚから視た状態で、互いに隣り合う凸曲部２３，２４のそれぞれに接するように仮想共通接線Ｌを引いた場合に、施術部２０の外周縁２０ａには、稜線部Ｒ３が形成される。この稜線部Ｒ３は、仮想共通接線Ｌに接する一方の接点Ｃ１から他方の接点Ｃ２にかけて連続する稜線部である。
【０１８８】
さらに、稜線部Ｒ３は、本体部１０の厚さ方向Ｚに沿った断面形状がＲ形状に形成されており、稜線部Ｒ３は、一端（接点Ｃ１または接点Ｃ２）から他端（接点Ｃ２または接点Ｃ１）にかけて曲率半径が徐々に小さくなるように形成されている。
【０１８９】
これによって、２つの凸曲部２３，２４の間に形成される稜線部Ｒ３がより肌に食い込み易くなるため、局所的に肌を振動させてマッサージ感を高めることができるようになる。
【０１９０】
以上、本発明の好適な実施形態について説明したが、本発明は上記実施形態には限定されず、種々の変形が可能である。
【０１９１】
例えば、上記各実施形態では、複数の凸曲部を一体に形成したものを例示したが、複数の凸曲部を形成する場合、少なくとも１つの凸曲部が別体となるようにしてもよい。この場合、別体に形成された凸曲部のそれぞれに振動部を設けるようにするのが好ましい。
【０１９２】
また、本体ハウジングや施術部本体ハウジング、その他細部のスペック（形状、大きさ、レイアウト等）も適宜に変更可能である。
【産業上の利用可能性】
【０１９３】
以上のように、本発明にかかる美容装置は、効率よく振動を肌に与えることが可能となることから、例えば、肩こりや筋肉痛などの解消を図るための健康機器等の用途にも適用できる。
【符号の説明】
【０１９４】
１  美容装置
１０  本体部
１０ｅ  端部
Ｓ１  中空部
２０  施術部
２０ａ  外周縁
２２  凸曲部
２２ａ  頂部
２２ｂ  底部
２３  凸曲部
２３ａ  頂部
２３ｂ  底部
２４  突部
２４ａ  頂部
２４ｂ  底部
３０  防水部
４０  振動部
５０  支持部
Ｌ  仮想共通接線
Ｃ１  接点（第２凸曲部側）
Ｃ２  接点（第３凸曲部側）
Ｒ３  稜線部
【図１】
2015223419.tif 000003
【図２】
2015223419.tif 000004
【図３】
2015223419.tif 000005
【図４】
2015223419.tif 000006
【図５】
2015223419.tif 000007
【図６】
2015223419.tif 000008
【図７】
2015223419.tif 000009
【図８】
2015223419.tif 000010
【図９】
2015223419.tif 000011
【図１０】
2015223419.tif 000012
【図１１】
2015223419.tif 000013
【図１２】
2015223419.tif 000014
【図１３】
2015223419.tif 000015
【図１４】
2015223419.tif 000016
【図１５】
2015223419.tif 000017
【図１６】
2015223419.tif 000018
【図１７】
2015223419.tif 000019
【図１８】
2015223419.tif 000020
【図１９】
2015223419.tif 000021
【図２０】
2015223419.tif 000022
【図２１】
2015223419.tif 000023
【図２２】
2015223419.tif 000024